(57)【要約】【課題】  表示領域を狭めるおそれのない補助端子を提供する。【解決手段】  電気光学装置の素子基板１２０に設けられた配線１３０は、対向電極に電圧を印加するための配線である。この配線１３０は、矩形状の素子基板１２０の輪郭に略沿うように形成されており４つの角を有している。配線１３０の角の部分には、対向電極と接続される角部端子１３２ａ、１３２ｂ、１３２ｃおよび１３２ｄが設けられている。一方、補助端子１３２ｅ、１３２ｆ、１３２ｇおよび１３２ｈは、配線１３０のうち隣接する角の間において、角部端子１３２ａ、１３２ｂ、１３２ｃおよび１３２ｄにより表示領域１２２の配置が制限されうる制限領域Ｃ内に収容されるように形成されている。【選択図】        図５
2005062630.tif 000002
【特許請求の範囲】
【請求項１】
第１の基板に設けられた電極と、
前記第１の基板の、前記電極が設けられた面と電気光学物質を介して対向する略板状の
部材であり、その板面の周縁に角を有する第２の基板と、
前記第２の基板の板面のうち前記電極に対向する面に設けられた配線であり、前記角を
構成する一の辺に沿って形成されると共に、前記角に沿って折れ曲がるように形成された
配線と、
前記配線のうち前記折れ曲がった部分に形成され、前記電極に接続される第１の端子と
、
前記電極に接続される端子であり、前記配線のうち前記一の辺に沿った部分に形成され
、自身のうち前記一の辺から最も離れた最遠部と前記一の辺との距離が、前記第１の端子
のそれより小なる第２の端子と
を具備することを特徴とする電気光学装置。
【請求項２】
前記電気光学物質が駆動されうる領域であり、前記一の辺側に位置する自身の境界とし
て、前記一の辺と略平行をなす境界を含む駆動領域をさらに有し、
前記第２の端子の最遠部は、前記駆動領域の境界のうち前記一の辺と略平行をなす境界
より、前記一の辺に近接する
ことを特徴とする請求項１に記載の電気光学装置。
【請求項３】
前記配線は略帯状の配線であり、
前記第１および第２の端子は、前記一の辺から遠ざかる方向に、前記配線からはみでる
ように形成されてなる
ことを特徴とする請求項１あるいは２に記載の電気光学装置。
【請求項４】
前記一の辺に対する前記第１の端子の最遠部と、前記配線のうち前記一の辺に沿った部
分との間に設けられた、前記電気光学物質を駆動するための駆動回路を有することを特徴
とする請求項３に記載の電気光学装置。
【請求項５】
前記第２の基板は、前記周縁に複数の角を有し、
前記配線は、前記複数の角のそれぞれを構成する一の辺に沿って形成されると共に、前
記複数の角のそれぞれに沿って折れ曲がり、
前記第１の端子は、前記配線のうち複数の折れ曲がった箇所にそれぞれ形成され、
前記第２の端子は、前記配線のうち複数の一の辺に沿った部分にそれぞれ形成される
ことを特徴とする請求項１乃至４のいずれかに記載の電気光学装置。
【請求項６】
前記各第１の端子の形態は略同一である
ことを特徴とする請求項５に記載の電気光学装置。
【請求項７】
前記各第１の端子の形態が互いに異なる
ことを特徴とする請求項５に記載の電気光学装置。
【請求項８】
前記各第１の端子の形態が互いに相似形である
ことを特徴とする請求項７に記載の電気光学装置。
【請求項９】
前記各第２の端子の形態は略同一である
ことを特徴とする請求項５乃至８に記載の電気光学装置。
【請求項１０】
前記第１の端子と前記第２の端子とは、形態が互いに異なる
ことを特徴とする請求項１乃至９のいずれかに記載の電気光学装置。  
【請求項１１】
請求項１乃至１０のいずれかに記載の電気光学装置を有することを特徴とする電子機器
。
【発明の詳細な説明】
【技術分野】
【０００１】
本発明は、液晶などの電気光学物質を、互いに対向する２枚の基板間に保有する電気光
学装置に関し、特に、電気光学物質の電極に電圧を印加するための配線に設けられる端子
に関する。
【背景技術】
【０００２】
いわゆるアクティブマトリックス型の液晶装置は、画素電極がマトリックス状に設けら
れた素子基板と、略一面を覆うように対向電極が設けられた対向基板と、画素電極および
対向電極の間に介在する液晶層とを有する構成が一般的である。この種の液晶装置におい
ては、液晶装置の小型化を図るべく、対向電極に電圧を印加する配線を素子基板に設け、
素子基板上に配線類を集積させた構成を採ることが多い。
【０００３】
図１１（ａ）は、上述した構成の素子基板を示す図である。この図に示すように、素子
基板９００のうち、液晶が駆動される表示領域内９１０には、Ｘ方向に延在する複数の走
査線９２０と、Ｙ方向に延在する複数のデータ線９３０と、ＴＦＴ（thin film transist
or）などの能動素子を介して走査線９２０およびデータ線９３０に接続された画素電極９
４０とが設けられている。
【０００４】
配線９５０は、上述したように対向電極９５１（図中破線）に電圧を印加するための配
線であり、矩形状の表示領域９１０の輪郭に沿って設けられている。この配線９５０のう
ち表示領域９１０の角に対応して折れ曲がった４つの部分には、それぞれ端子（以下、「
角部端子」と称する）９６０が設けられている。これらの角部端子９６０は、導通材を介
して対向電極９５１に電圧を印加するための端子である。
【０００５】
ところで、従来の液晶装置おいては、表示領域９１０が比較的狭かったため対向電極９
５１が狭く、角部端子９６０からの電圧の印加により対向電極９５１の電位をその全面に
渡り一定に保つことが可能であった。しかし、近年の液晶装置の大型化に伴い、対向電極
９５１の内部抵抗などに起因して対向電極９５１で電位差が生じるという問題が指摘され
るようになった。この問題に対処すべく、特許文献１では、配線９５０のうち隣接する２
つの角部端子９６０の間に端子（以下、「補助端子」と称する）を更に設け、配線９５０
と対向電極９５１との電気的な接点数を増やすという技術が開示されている。
【特許文献１】特開平９−１７８４３号公報（図４参照）
【発明の開示】
【発明が解決しようとする課題】
【０００６】
ところが、このように素子基板９００に補助端子を設けた場合、次に説明するように表
示領域９１０を狭めてしまうという問題が新たに生じる。すなわち、図１１（ｂ）に示す
ように角部端子９６０の間に補助端子９６５を設けたとすると、仮に補助端子９６５を設
けなければ表示領域となりうる領域９１５に、補助端子９６５が入り込んでしまう。この
ように領域９１５に補助端子９６５が入り込むと、表示領域９１０に本来的に設けられる
べき素子（画素電極９４０など）と、補助端子９６５との絶縁を図るため、表示領域９１
０を狭めざるをえなかった。
以上、液晶装置を例に挙げて、補助端子に起因する問題について説明したが、このよう
な問題は、他の電気光学物質を有する電気光学装置についても同様に生じ得る問題であっ
た。
【０００７】
本発明は、上述した事情に鑑みてなされたものであり、その目的とするところは、補助
端子により表示領域が狭められることのない電気光学装置およびそれを搭載した電子機器
を提供することにある。
【課題を解決するための手段】
【０００８】
上述した課題を解決するため、本発明に係る電気光学装置は、第１の基板に設けられた
電極と、前記第１の基板の、前記電極が設けられた面と電気光学物質を介して対向する略
板状の部材であり、その板面の周縁に角を有する第２の基板と、前記第２の基板の板面の
うち前記電極に対向する面に設けられた配線であり、前記角を構成する一の辺に沿って形
成されると共に、前記角に沿って折れ曲がるように形成された配線と、前記配線のうち前
記折れ曲がった部分に形成され、前記電極に接続される第１の端子と、前記電極に接続さ
れる端子であり、前記配線のうち前記一の辺に沿った部分に形成され、自身のうち前記一
の辺から最も離れた最遠部と前記一の辺との距離が、前記第１の端子のそれより小なる第
２の端子とを具備することを特徴とする。
かかる電気光学装置によれば、補助端子にあたる第２の端子は、角部端子にあたる第１
の端子の少なくとも一部より、第２の基板の一の辺側に位置するため、第２の端子により
表示領域となりうる領域が狭められるおそれがない。
【０００９】
ここで、上記電気光学装置は、前記電気光学物質が駆動されうる領域であり、前記一の
辺側に位置する自身の境界として、前記一の辺と略平行をなす境界を含む駆動領域をさら
に有し、前記第２の端子の最遠部は、前記駆動領域の境界のうち前記一の辺と略平行をな
す境界より、前記一の辺に近接する。
【００１０】
好ましい態様において、前記配線は略帯状の配線であり、前記第１および第２の端子は
、前記一の辺から遠ざかる方向に、前記配線からはみでるように形成されてなることが好
ましい。さらに、前記電気光学物質を駆動するための駆動回路を、前記一の辺に対する前
記第１の端子の最遠部と、前記配線のうち前記一の辺に沿った部分との間に設けることに
より、第２基板の領域を有効に用いることができる。
【００１１】
別の好ましい態様において、前記第２の基板は、前記周縁に複数の角を有し、前記配線
は、前記複数の角のそれぞれを構成する一の辺に沿って形成されると共に、前記複数の角
のそれぞれに沿って折れ曲がり、前記第１の端子は、前記配線のうち複数の折れ曲がった
箇所にそれぞれ形成され、前記第２の端子は、前記配線のうち複数の一の辺に沿った部分
にそれぞれ形成される。このように複数の端子を設けることにより、第１の基板に設けら
れた電極と配線との電気的接点の数を増やすことができる。
【００１２】
上記電気光学装置を実現するにあたり、前記各第１の端子の形態を略同一とする構成と
しても良いし、前記各第１の端子の形態を互いに異なる構成としても良い。前者によれば
、電気光学物質が駆動されうる領域の周辺領域を狭めることができる一方、後者によれば
、第１の基板に設けられた電極と、第２の基板に設けられた配線との接続の確実性を高め
ることができる。
さらに、前記各第１の端子の形態を互いに相似形とする構成としても良く、前記各第２
の端子の形態を略同一とする構成としても良く、第１の端子と前記第２の端子とは、形態
を互いに異なる構成としても良い。これらの構成によれば、電気光学物質が駆動されうる
領域の周辺領域を狭めることができる。
また、本発明は、上記電気光学装置を有することを特徴とする電子機器を提供する。
【発明の効果】
【００１３】
本発明によれば、補助端子により表示領域が狭められるおそれがない。
【発明を実施するための最良の形態】
【００１４】
以下、本発明の実施の形態について図面を参照して説明する。
図１は、本発明の実施形態に係る液晶装置の断面図である。また、図２は、同液晶装置
に含まれる素子基板を、図１におけるＡ―Ａ’方向からみた平面図であり、図３は、同液
晶装置に含まれる対向基板を、図１におけるＢ―Ｂ’方向からみた平面図である。なお、
説明に用いる各図面においては、構成要素の形状およびその位置を視認可能とするため、
構成要素の寸法比が実際とは異なる場合がある。
【００１５】
図１に示すように液晶装置１００は、液晶パネル１１０とバックライトユニット１９０
とを含む。液晶装置１００のうち液晶パネル１１０側が観察者により視認される観察側に
相当し、バックライトユニット１９０側が液晶装置１００の背面側に相当する。バックラ
イトユニット１９０は、図示せぬＬＥＤ(light emitting diode)などの光源と、光源から
出射された光を液晶パネル１１０の背面に向けて略一様に導く導光板１９２とを有する。
【００１６】
一方、液晶パネル１１０は、例えばガラスなどの光透過性を有する板状の素子基板１２
０および対向基板１５０を含む。これらの素子基板１２０および対向基板１５０は、隙間
を介して対向した状態で、その隙間を密閉するためのシール材１６０により貼り合わされ
ている。シール材１６０は、対向基板１５０の板面の周縁に沿って枠状に設けられており
、シール材１６０により密閉される空間には、電気光学物質の一種であるＳＴＮ（super 
twisted nematic）などの液晶（液晶層１７０）が封入されている。
【００１７】
以下、素子基板１２０および対向基板１５０の詳細な構成について説明する。
図２に示すように素子基板１２０は、Ｘ方向をその長手方向とする長方形状をしている
。素子基板１２０のうち対向基板１５０と対向する面には、走査線１２４がＸ方向に延在
するように複数形成されている。これらの走査線１２４は、アルミや銀などの単体金属、
またはこれらの金属を主成分として含む合金といった導電性の材料により形成されており
、図中破線で示す表示領域１２２内に収容されるように形成されている。
【００１８】
この表示領域１２２は、液晶パネル１１０において液晶が駆動されうる領域であり、素
子基板１２０の周縁より一回り小さな矩形状の領域である。具体的には、表示領域１２２
は、素子基板１２０の辺１２０ａと略平行な辺１２２ａと、素子基板１２０の辺１２０ｂ
と略平行な辺１２２ｂと、素子基板１２０の辺１２０ｃと略平行な辺１２２ｃと、素子基
板１２０の辺１２０ｄと略平行な辺１２２ｄとに囲まれる領域である。このうち、辺１２
２ａは、辺１２０ａから「Ｄ１」だけ離れ、辺１２２ｂは、辺１２０ｂから「Ｄ１」だけ
離れ、辺１２２ｃは、辺１２０ｃから「Ｄ１」だけ離れる。
【００１９】
複数のデータ線１２５は、走査線１２４と同様に導電性の材料が形成されたものであり
、表示領域１２２内において、走査線１２４と絶縁した状態で互いに間隔を隔ててＹ方向
に延在する。また、画素電極１２６は、例えばＩＴＯ（indium tin oxide）であり、素子
基板１２０の板面からみて走査線１２４およびデータ線１２５が交差する位置近傍で、図
示せぬＴＦＴなどの能動素子を介して、走査線１２４およびデータ線１２５のそれぞれと
接続されている。画素電極１２６は、表示領域１２２の全域においてマトリックス状に配
列されており、各画素電極１２６に対応する領域が液晶の駆動に係る領域の最小単位とな
る。
【００２０】
配線１３０は、例えばアルミや、シリコン、銅、チタン等の金属元素を含む導電性の材
料が帯状に形成されたものであり、後述する対向基板１５０に設けられた対向電極１５７
に電圧を印加するためのものである。この配線１３０は、表示領域１２０の輪郭に沿って
形成されており、素子基板１２０の辺１２０ｂから「２００μｍ」だけ離れて当該辺１２
０ｂに対して略平行に延びる配線１３０ｂと、この配線１３０ｂの一端（図中左側）に接
続され、素子基板１２０の辺１２０ａから「２００μｍ」だけ離れて当該辺１２０ａに対
して略平行に延びる配線１３０ａと、配線１３０ｂの他端（図中右側）に接続され、素子
基板１２０の辺１２０ｃから「２００μｍ」だけ離れて当該辺１２０ｃに対して略平行方
向に延びる配線１３０ｃとを含んで構成される。また、配線１３０ａおよび１３０ｃの一
端は、素子基板１２０の辺１２０ｄの近傍にて辺１２０ｄに沿って途中までそれぞれ延び
たのち、端子１３１まで引き回されている。各端子１３１は、配線１３０を介して対向電
極１５７に電圧を印加するための電源回路（あるいはアース）に接続されるべき端子であ
り、配線１３０からみれば入力端子といえる。
【００２１】
また、配線１３０のうち角をなす部分、すなわち、配線１３０のうち素子基板１２０の
角と近接する部分には、端子（以降「角部端子」と称する）１３２ａ、１３２ｂ、１３２
ｃおよび１３２ｄが配線１３０と一体形成されている。これらの角部端子１３２ａ、１３
２ｂ、１３２ｃおよび１３２ｄは、導電性材料１８０（図１参照）を介して対向電極１５
７と接続される端子であり、配線１３０からみれば出力端子と捉えることができる。
【００２２】
図４に示す素子基板１２０の拡大図において、あるひとつの角部端子１３２ｂ（図中左
上）に着目すれば、角部端子１３２ｂは、直角二等辺三角形状の端子であり、その直角の
角と、配線１３０ａおよび配線１３０ｃがなす配線１３０の角とが重なる一方で、表示領
域１２２とは間隔を隔てるように形成されている。つまり、角部端子１３２ｂは、配線１
３０の角から表示領域１２２側にはみでるように形成されている。角部端子１３２ｂのう
ち素子基板１２０の辺１２０ａから最も離れた部分は最遠部ＰｂＸであり、この最遠部Ｐ
ｂＸと辺１２０ａとの距離は「Ｄ２」である。一方、角部端子１３２ｂのうち素子基板１
２０の辺１２０ｂから最も離れた部分は最遠部ＰｂＹであり、この最遠部ＰｂＹと辺１２
０ｂとの距離は「Ｄ２」である。
【００２３】
これらから、角部端子１３２ｂを設けた場合、表示領域１２２と角部端子１３２ｂとを
隔離させるために、表示領域１２２の境界となる辺１２２ａは素子基板１２０の辺１２０
ａから最大で「Ｄ２」だけ離間されうる一方で、表示領域１２２の境界となる辺１２２ｂ
は、素子基板１２０の辺１２０ｂから最大で「Ｄ２」だけ離間されうる、ということがい
える。換言すれば、配線１３０で囲まれる領域のうち、素子基板１２０の辺１２０ａから
の距離が「Ｄ２」以内となる領域と、辺１２０ｂからの距離が「Ｄ２」以内となる領域と
は、角部端子１３２ｂにより表示領域１２０の配置が制限されうる領域（以下、「制限領
域」と称する）といえる。
【００２４】
角部端子１３２ａ、１３２ｃおよび１３２ｄは、上述した角部端子１３２ｂと略同一の
形態（大きさおよび形状）にて形成されており、配線１３０の角から表示領域１２２側に
はみでるように形成されている。このように、４つの角部端子１３２ａ、１３２ｂ、１３
２ｃおよび１３２ｄの形態を揃えることにより、表示領域１２２の周辺の領域を狭くする
ことが可能である。
【００２５】
角部端子１３２ａのうち素子基板１２０の辺１２０ａから最も離れた部分は最遠部Ｐａ
Ｘであり、この最遠部ＰａＸと辺１２０ａとの距離は「Ｄ２」である。一方、角部端子１
３２ａのうち素子基板１２０の辺１２０ｄから最も離れた部分は最遠部ＰａＹであり、こ
の最遠部ＰａＹと辺１２０ｄとの距離は「Ｄ３」である。
【００２６】
また、角部端子１３２ｃのうち素子基板１２０の辺１２０ｃから最も離れた部分は最遠
部ＰｃＸであり、この最遠部ＰｃＸと辺１２０ｃとの距離は「Ｄ２」である。一方、角部
端子１３２ｃのうち素子基板１２０の辺１２０ｂから最も離れた部分は最遠部ＰｃＹであ
り、この最遠部ＰｃＹと辺１２０ｂとの距離は「Ｄ２」である。同様に、角部端子１３２
ｄのうち素子基板１２０の辺１２０ｃから最も離れた部分は最遠部ＰｄＸであり、この最
遠部ＰｄＸと辺１２０ｃとの距離は「Ｄ２」である。一方、角部端子１３２ｄのうち素子
基板１２０の辺１２０ｄから最も離れた部分は最遠部ＰｄＹであり、この最遠部ＰｄＹと
辺１２０ｄとの距離は「Ｄ３」である。
【００２７】
以上から、図５に示すように、配線１３０の角を頂点とする矩形領域のうち、素子基板
１２０の辺１２０ａからの距離が「Ｄ２」以下となる領域と、辺１２０ｂからの距離が「
Ｄ２」以下となる領域と、辺１２０ｃからの距離が「Ｄ２」以下となる領域と、辺１２０
ｄからの距離が「Ｄ３」以下となる領域とを含む制限領域Ｃは、各角部端子１３２ａ、１
３２ｂ、１３２ｃおよび１３２ｄにより表示領域１２０の配置が制限されうる領域といえ
る。逆に、配線１３０の角を頂点とする矩形領域のうち、制限領域Ｃに囲まれる領域Ｄは
、表示領域１２０の配置が、各角部端子１３２ａ、１３２ｂ、１３２ｃおよび１３２ｄに
より制限されえない領域（以降、「非制限領域Ｄ」と称する。）と捉えることができる。
なお、説明の便宜上、角部端子１３２ａ、１３２ｂ、１３２ｃおよび１３２ｄの形状は
、配線１３０とは区別した形状として説明するが、一般に、角部端子１３２ａ、１３２ｂ
、１３２ｃおよび１３２ｄは、配線１３０のうち自身の近傍の部分と共に端子としての役
割を果たす。
【００２８】
ところで、背景技術で述べたように、表示領域１２２が大型化すると、角部端子１３２
ａ、１３２ｂ、１３２ｃおよび１３２ｄのみによる接続では、対向電極１５７の電圧を略
一定に保つことが困難となる。そこで、本実施形態に係る配線１３０には、図２および４
に示すように、角部端子１３２ａ、１３２ｂ、１３２ｃおよび１３２ｄに加えて、さらに
、対向電極１５７との接続端子となる端子（以降「補助端子」と称する。）１３２ｅ、１
３２ｆ、１３２ｇおよび１３２ｈが配線１３０に設けられている。具体的には、配線１３
０のうち角部端子１３２ａと角部端子１３２ｂとの間に補助端子１３２ｅが設けられてお
り、角部端子１３２ｂと角部端子１３２ｃとの間に補助端子１３２ｆと補助端子１３２ｇ
とが設けられており、角部端子１３２ｃと角部端子１３２ｄとの間に補助端子１３２ｈが
設けられている。
【００２９】
各補助端子１３２ｅ、１３２ｆ、１３２ｇおよび１３２ｈは、上記角部端子１３２ａ、
１３２ｂ、１３２ｃおよび１３２ｄより一回り小さい、相似形（直角二等辺三角形状）で
あるが、角部端子１３２ａ、１３２ｂ、１３２ｃおよび１３２ｄにより表示領域１２２の
配置が制限されうる制限領域Ｃ内のみに収容されるように、その形態が選定されている点
において特徴を有する。
【００３０】
いま、補助端子１３２ｅに着目すれば、補助端子１３２ｅのうち辺１２０ａから最も離
れた部分は、辺１２０ａから「ｄ１」だけ離れた最遠部Ｐｅである。この最遠部Ｐｅは、
当該補助端子１３２ｅが設けられた配線１３０ａの両端に位置する角部端子１３２ａおよ
び１３２ｂの最遠部ＰａＸおよび最遠部ＰｂＸのそれぞれより辺１２０ａに近接する。つ
まり、辺１２０ａと補助端子１３２ｅの最遠部Ｐｅとの距離「ｄ１」が、辺１２０ａと最
遠部ＰａＸおよび最遠部ＰｂＸとの距離「Ｄ２」以下となるように、補助端子１３２ｅの
形態が選定されている。このように補助端子１３２ｅが制限領域Ｃのみに至るように形成
されることにより、表示領域１２０となりうる領域が、補助端子１３２ｅにより制限され
るといった事態を回避することができる。
【００３１】
他の補助端子１３２ｆ、１３２ｇおよび１３２ｈも、上記補助端子１３２ｅと同一形態
にて、制限領域Ｃ内に収容されるように形成されている。このように、４つの補助端子１
３２ｅ、１３２ｆ、１３２ｇおよび１３２ｈの形態を揃えることにより、表示領域１２２
の周辺の領域を狭くすることが可能である。
【００３２】
補助端子１３２ｆ、１３２ｇおよび１３２ｈの詳細について説明する。まず、補助端子
１３２ｆおよび１３２ｇの形態は、素子基板１２０の辺１２０ｂと、自身のうち当該辺１
２０ｂから最も離れた最遠部ＰｆおよびＰｇとの距離が、「ｄ１（≦Ｄ２）」となる形態
にいずれも選定されている。また、補助端子１３２ｈは、素子基板１２０の辺１２０ｃと
、自身のうち当該辺１２０ｃから最も離れた最遠部Ｐｈとの距離が「ｄ１（≦Ｄ２）」と
なるように、その形態が選定されている。
【００３３】
以上説明したように、素子基板１２０においては、各補助端子１３２ｅ、１３２ｆ、１
３２ｇおよび１３２ｈが制限領域Ｃのみに収容されるように設けられており、表示領域１
２０の配置が、各角部端子１３２ａ、１３２ｂ、１３２ｃおよび１３２ｄにより制限され
えない非制限領域Ｄには設けられていない。これにより、表示領域１２２となりうる領域
が、補助端子１３２ｅ、１３２ｆ、１３２ｇおよび１３２ｈにより狭められるおそれがな
い。
【００３４】
なお、これまでの説明においては、補助端子１３２ｅ、１３２ｆ、１３２ｇおよび１３
２ｈの形態について制限領域Ｃを考慮して選定する方法について説明した。しかし、表示
領域１２２が制限領域Ｃ内に含まれる場合には、制限領域Ｃを考慮したのみでは、補助端
子１３２ｅ、１３２ｆ、１３２ｇおよび１３２ｈと、表示領域１２２とが重なるおそれが
ある。これに対処するには以下の方策を採ればよい。
【００３５】
いま、図４において、素子基板１２０の辺１２０ａと、表示領域１２２の辺１２２ａと
の距離「Ｄ１」が、素子基板１２０の辺１２０ａと、角部端子１３２ａおよび１３２ｂの
最遠部ＰａｘおよびＰｂＸとの距離「Ｄ２」より短い場合を想定する。このような場合に
おいては、補助電極１３２ｅが、表示領域１２２より素子基板１２０の周縁側に位置する
ように補助電極１３２ｅの形態を選定する。具体的には、補助電極１３２ｅの最遠部Ｐｅ
と素子基板１２０の辺１２０ａとの距離「ｄ１」が、「Ｄ１」以下となるように、補助電
極１３２ｅの形態を選定する。これにより、表示領域１２２の一部が制限領域Ｃ内に含ま
れる場合であっても、表示領域１２２となりうる領域が補助電極１３２ｅにより狭めるこ
とがない。
【００３６】
再び説明を図２に戻す。Ｙドライバ１４０は、図示せぬ配線を介して各走査線１２４と
接続されており、各走査線１２４に走査信号を供給する駆動回路である。このＹドライバ
１４０は、Ｙ方向については補助端子１３２ｈと角部端子１３２ｄとの間に位置する一方
、Ｘ方向については角部端子１３２ｄの最遠部ＰｄＸ（図４参照）と、配線１３０ｃとの
間に位置するように設けられている。
【００３７】
また、Ｘドライバ１４２は、図示せぬ配線を介して各データ線１２５と接続されており
、液晶の駆動を指示するデータ信号をデータ線１２５に供給する駆動回路である。このＸ
ドライバ１４２は、Ｘ方向については角部端子１３２ａと角部端子１３２ｄとの間に位置
する一方、Ｙ方向については各角部端子１３２ａおよび１３２ｄの最遠部ＰａＹおよびＰ
ｄＹ（図４参照）と、素子基板１２０の辺１２０ｄ側に形成された配線１３０との間に位
置するように設けられている。
【００３８】
このように、駆動回路（Ｘドライバ１４０およびＹドライバ１４２）を設けるにあたり
、配線１３０で囲まれる領域のうち、最遠部ＰｄＸ、ＰａＹおよびＰｄＹと配線１３０と
に挟まれる領域に駆動回路を設けることにより、次のような利点がある。すなわち、本実
施形態のように、角部端子１３２ａ、１３２ｂ、１３２ｃおよび１３２ｄと補助端子１３
２ｅ、１３２ｆ、１３２ｇおよび１３２ｈとが、配線１３０から表示領域１２２側に向か
って形成される場合、上記構成を採ることにより、素子基板１２０の領域を有効に用いる
ため、素子基板１２０を小型化することができる。
【００３９】
次に、対向基板１５０の構成について前掲図１を参照して説明する。対向基板１５０の
うち素子基板１２０と対向する面には、カラーフィルタ１５１が形成されている。カラー
フィルタ１５１は、ブラックマトリックス１５２と、着色層１５３Ｒ、１５３Ｇおよび１
５３Ｂと、オーバーコート層１５４とを含む。ブラックマトリックス１５２は、対向基板
１５０のうち画素電極１２６と対向しない部分を選択的に遮光する遮光膜である。着色層
１５３Ｒ、１５３Ｇおよび１５３Ｂは、ブラックマトリックス１５２に仕切られる領域に
選択的に設けられた層であり、着色層１５２Ｒは赤色の波長に対応する光のみを透過させ
、着色層１５２Ｇは緑色の波長に対応する光のみを透過させ、着色層１５２Ｂは青色の波
長に対応する光のみを透過させる。また、オーバーコート層１５４は、着色層１５３Ｒ、
１５３Ｇおよび１５３Ｂならびにブラックマトリックス１５２を覆うように形成された保
護膜である。
【００４０】
対向電極１５７は、例えばＩＴＯなどの透明電極であり、対向基板１５０の略全域を覆
うように形成される。図３に示すように、対向電極１５７は、対向基板１５０のうち、表
示領域１２２に対向する部分と、素子基板１２０上の角部端子１３２ａ、１３２ｂ、１３
２ｃおよび１３２ｄに対向する部分と、補助端子１３２ｅ、１３２ｆ、１３２ｇおよび１
３２ｈに対向する部分とに至るように形成されている。
【００４１】
次に、図６を参照して、以上の構成の素子基板１２０と対向基板１５０とを組み立てる
工程について説明する。
説明を素子基板１２０側の工程からはじめる。まず、上述した素子基板１２０を、湿式
洗浄法や乾式洗浄法を用いて洗浄し、素子基板１２０に付着した汚れや塵などを除去する
（ステップＳ１）。次に、洗浄された素子基板１２０のうち表示領域１２２に対応する部
分に、例えば有機溶剤で希釈されたポリイミド溶液を塗布して配向膜を成膜する（ステッ
プＳ２）。続いて、配向膜の表面にラビング処理を施す（ステップＳ３）。このように配
向膜にラビング処理を施すことにより、配向膜と接する液晶分子の配向方向が揃えられる
こととなる。以上により図１に示すような配向膜１４４が素子基板１２０を覆うように形
成される。
【００４２】
次いで、素子基板１２０に設けられた角部端子１３２ａ、１３２ｂ、１３２ｃおよび１
３２ｄならびに補助端子１３２ｅ、１３２ｆ、１３２ｇおよび１３２ｈに導通材１８０（
図１参照）を塗布する（ステップＳ４）。この導通材１８０は、素子基板１２０の配線１
３０と、対向基板１５０の対向電極１５７とを導通させるためのものであり、銀粒子を含
む銀ペーストなどを用いることができる。図７は、角部端子１３２ｂおよび補助端子１３
２ｅに導通材１８０が塗布された様子を示す図である。この図に示すように、導通材１８
０は、角部端子１３２ｂと、補助端子１３２ｅと、配線１３０のうちそれらの近傍の部分
とに、例えば円状（点状）にて塗布される。
【００４３】
一方、対向基板１５０側の工程では、まず、対向電極１５７が形成された対向基板１５
０を洗浄する（ステップＳ５）。次に、洗浄された対向基板１５０に配向膜を成膜して（
ステップＳ６）、配向膜の表面にラビング処理を施す（ステップＳ７）。これにより、前
掲図１に示すような配向膜１５９が得られる。
【００４４】
次いで、対向基板１５０に例えば紫外線硬化型樹脂からなるシール材１６０を枠状に塗
布する（ステップＳ８）。さらに詳述すると、シール材１６０は、対向基板１５０のうち
配線１３０と対向する領域のやや内側にて、表示領域１２２の枠に沿って塗布されるが、
液晶を注入するための隙間（開口）を有するように塗布される。次いで、対向基板１５０
のうちシール材１６０で囲まれる領域に、セルギャップに相当する直径を有するスペーサ
１７２（図１参照）を散布する（ステップＳ９）。
【００４５】
次に、それぞれの工程を経た素子基板１２０と対向基板１５０とを貼り合わせたうえで
（ステップＳ１０）、素子基板１２０と対向基板１５０とを圧着した状態で、シール材１
６０に紫外線を照射してシール材１６０を硬化させる（ステップＳ１１）。次いで、素子
基板１２０と対向基板１５０との隙間に、例えば真空注入法などにより、シール材１６０
の開口部を介して液晶を注入する（ステップＳ１２）。次に、シール材１６０の開口部を
例えば紫外線硬化樹脂などで封止する（ステップＳ１３）。この後、素子基板１２０のう
ち液晶層１７０と反対側の面に、コントラストを改善するための位相差板と、入射光を偏
光させるための偏光板とを、素子基板１２０側からこの順で貼り付ける（共に図１では省
略）。また、対向基板１５０のうち液晶層１７０と反対側の面についても同様に、位相差
板と偏光板とを、対向基板１５０側からこの順で貼り付ける（共に図１では省略）。
【００４６】
以上の工程を経て前掲図１に示すような液晶パネル１１０が得られる。液晶パネル１１
０においては、前掲図７に示すように、配線１３０の一部がシール材１６０により覆われ
ている。また、シール材１６０の外側において、対向電極１５７が、角部端子１３２ａ、
１３２ｂ、１３２ｃおよび１３２ｄならびに補助端子１３２ｅ、１３２ｆ、１３２ｇおよ
び１３２ｈと導通材１８０を介して導通している。
【００４７】
以上説明したように、本実施形態によれば、補助端子１３２ｅ、１３２ｆ、１３２ｇお
よび１３２ｈが、角部端子１３２ａ、１３２ｂ、１３２ｃおよび１３２ｄの最遠部ＰａＸ
、ＰｂＸ、ＰｂＹ、ＰｃＸ、ＰｃＹ、およびＰｄＸからみて、素子基板１２０の周縁側に
形成されているため、表示領域１２２となりうる領域を不当に狭めることがない。
【００４８】
なお、上述した上記実施形態においては、角部端子１３２ａ、１３２ｂ、１３２ｃおよ
び１３２ｄならびに補助端子１３２ｅ、１３２ｆ、１３２ｇおよび１３２ｈは、その平面
形状がいずれも三角形状であったがこれに限らない。図８は、５角形状の角部端子と４角
形状の補助端子とがそれぞれ設けられた素子基板１２０を示す図である。なお、図８にお
いては、図面が煩雑になるのを防ぐため、配線１３０とその端子以外の構成については省
略されている。
【００４９】
この図に示すように、角部端子１３３ａ、１３３ｂ、１３３ｃおよび１３３ｄと、補助
端子１３３ｅ、１３３ｆ、１３３ｇおよび１３３ｈとは特に三角形状でなくても良いが、
補助端子１３３ｅ、１３３ｆ、１３３ｇおよび１３３ｈの形態は以下のような特徴を有し
ている。すなわち、いま、角部端子１３３ｂと補助端子１３３ｅに着目すれば、補助端子
１３３ｅのうち素子基板１２０の辺１２０ａに対して最も離れた最遠部Ｐｅと当該辺１２
０ａとの距離「ｄ１」が、角部端子１３３ｂのうち素子基板１２０の辺１２０ａに対して
最も離れた最遠部Ｐｂｘと当該辺１２０ａとの距離「Ｄ２」以下となるという特徴を有す
る。さらに、この距離「ｄ１」は、表示領域１２２の辺１２２ａと、素子基板１２０の辺
１２０ａとの距離「Ｄ１」より小さいという条件を満たす。これにより上記実施形態と同
様に、補助端子１３３ｅ、１３３ｆ、１３３ｇおよび１３３ｈにより、表示領域１２２が
狭められるおそれがない。
【００５０】
上述した補助端子１３２ｅは、配線１３０ａから表示領域１２２側にはみだすように形
成されていたが、図９（ａ）に示す補助端子１３４ｅおよび図９（ｂ）に示す補助端子１
３５ｅは、いずれも、配線１３０ａから素子基板１２０の周縁側にはみだすように形成さ
れている。このような補助端子１３４ｅおよび１３５ｅにあっても、自身の最遠部Ｐｅと
辺１２０ａとの距離「ｄ１」が上述した条件を満たすならば、表示領域を狭めるおそれが
ない。ただし、このような構成にするのならば、補助端子１３４ｅおよび１３５ｅは、素
子基板１２０の辺１２０ａから「２００μｍ」以上離れる構成とすることが望ましい。
【００５１】
上述した実施形態では、全ての角部端子１３２ａ、１３２ｂ、１３２ｃおよび１３２ｄ
の平面形状は同一形状であったが、互いに異なる形状としても良い。例えば、４つの角部
端子１３２ａ、１３２ｂ、１３２ｃおよび１３２ｄのうち、ひとつの平面形状を他のもの
より大きくしても良い。これにより、素子基板１２０および対向基板１５０の組み立て時
に、素子基板１２０に設けられた角部端子１３２ａ、１３２ｂ、１３２ｃおよび１３２ｄ
と、対向基板１５０に設けられた対向電極１５７とが位置ずれを起こしたとしても、平面
形状が大きなひとつの角部端子により、配線１３０と対向電極１５０との導電性が確保さ
れやすくなる点で有利である。さらに、この構成によれば、全ての角部端子を大きくする
構成と比較して、表示領域１２２の周りに必要とされる領域を狭くすることができる。同
様な観点から、全ての角部端子の形態は、相似形にて異ならせることが望ましい。
なお、角部端子１３２ａ、１３２ｂ、１３２ｃおよび１３２ｄのみならず、補助端子１
３２ｅ、１３２ｆ、１３２ｇおよび１３２ｈの平面形状を互いに異ならせても良いのはも
ちろんである。
【００５２】
最後に、以上説明した液晶装置１００を搭載した電子機器について説明する。
例えば、図１０は、上述した液晶装置１００を表示部として有するパーソナルコンピュ
ータの外観図である。この図において、パーソナルコンピュータ２００は、ＣＰＵ(centr
al processing unit)などの制御手段と、制御手段が実行する各種プログラムを記憶する
磁気ディスクなどの記憶手段とを本体２０２内部に備えている。さらに、パーソナルコン
ピュータ２００は、キーボード２１０Ａやポインティングデバイス２１０Ｂなどの操作子
の他、制御手段による制御のもと各種情報を表示する表示部として上記液晶装置１００を
備えている。
また、パーソナルコンピュータ２００以外にも、液晶装置１００は、コンピュータや、
プロジェクタ、カメラ、車載機器、複写機、オーディオ機器などの各種電子機器の表示部
として用いることができる。
【００５３】
なお、上記各実施形態では、上記補助端子１３２ｅ、１３２ｆ、１３２ｇおよび１３２
ｈを有する配線１３０を備えた電気光学装置の一例として液晶装置１００を挙げて説明し
た。しかし、本発明の適用範囲は液晶装置１００に限らず、互いに対向する２枚の基板の
うち一方の基板に設けられた電極に、他方の基板に設けられた配線１３０を介して電圧を
印加し得る構成の各種の電気光学装置に対して本発明を適用することが可能である。
【図面の簡単な説明】
【００５４】
【図１】本発明の実施形態にかかる液晶装置の断面図である。
【図２】同液晶装置に含まれる素子基板の平面図である。
【図３】同液晶装置に含まれる対向基板の平面図である。
【図４】同素子基板の配線に設けられた角部端子および補助端子を拡大して示す図である。
【図５】同素子基板のうち制限領域を示す図である。
【図６】同液晶装置の組み立て工程を示す図である。
【図７】同角部端子および補助端子の周辺構成を示す図である。
【図８】同実施形態の変形例にかかる角部端子および補助端子を示す図である。
【図９】同実施形態の変形例にかかる補助端子を示す図である。
【図１０】同実施形態に係る液晶装置を搭載した電子機器の一例を示す図である。
【図１１】従来の素子基板の構成を示す平面図である。
【符号の説明】
【００５５】
１００…液晶装置、１１０…液晶パネル、１２０…素子基板、１２６…画素電極、１３０
…配線、１３２ａ，１３２ｂ，１３２ｃ，１３２ｄ…角部端子、１３２ｅ，１３２ｆ，１
３２ｇ，１３２ｈ…補助端子、ＰａＸ，ＰａＹ，ＰｂＸ，ＰｂＹ，ＰｃＸ，ＰｃＹ，Ｐｄ
Ｘ，ＰｄＹ，Ｐｅ，Ｐｆ，Ｐｇ，Ｐｈ…最遠部、１５０…対向基板、１５７…対向電極、
１８０…導通材、２００…パーソナルコンピュータ
【図１】
2005062630.tif 000003
【図２】
2005062630.tif 000004
【図３】
2005062630.tif 000005
【図４】
2005062630.tif 000006
【図５】
2005062630.tif 000007
【図６】
2005062630.tif 000008
【図７】
2005062630.tif 000009
【図８】
2005062630.tif 000010
【図９】
2005062630.tif 000011
【図１０】
2005062630.tif 000012
【図１１】
2005062630.tif 000013